(57)【特許請求の範囲】
【請求項１】
堤体の上流側に位置する高水路と、前記堤体の下流側に位置する低水路とを接続し、水生生物を前記低水路から前記高水路まで遡上させるための魚道において、
筒状をなして前記高水路から前記低水路まで長さ方向に延び、内部に誘導路を形成する遡上用筒体と、
前記遡上用筒体に前記長さ方向で２箇所以上で設けられ、前記誘導路を開閉可能な制水弁とを備え、
各前記制水弁には、前記誘導路の閉鎖時に上流側と下流側とを連通する連通路が形成されていることを特徴とする魚道。
【請求項２】
各前記制水弁は、弁体を軸支部によって開閉可能なバタフライ弁であり、
各弁体には、前記連通路を形成する切欠きが形成されている請求項１記載の魚道。
【請求項３】
前記遡上用筒体は、上流側に位置する上流側遡上用筒体と、下流側に位置する下流側遡上用筒体とを有し、
前記上流側遡上用筒体と前記下流側遡上用筒体との間には、内部に前記誘導路と連通する休息室を形成するチャンバが設けられている請求項１又は２記載の魚道。
【請求項４】
前記遡上用筒体は、少なくとも上流側が可撓性を有する請求項１乃至３のいずれか１項記載の魚道。
【請求項５】
前記遡上用筒体が山状に配置される山状部を有し、
前記山状部には、前記誘導路を大気に開く大気開放弁が設けられている請求項１乃至４のいずれか１項記載の魚道。
【請求項６】
前記大気開放弁には排気装置が接続されている請求項５記載の魚道。
【請求項７】
各前記制水弁を開閉制御可能な制御装置が設けられている請求項１乃至６のいずれか１項記載の魚道。
【請求項８】
筒状をなして前記高水路から前記低水路まで前記長さ方向に延び、内部に発電用水路を形成する発電用筒体と、
前記発電用水路を流れる水によって電気を生じる水力発電機とを備え、
各前記制水弁及び前記制御装置は、前記水力発電機によって生じた電気によって駆動されている請求項７記載の魚道。
【請求項９】
前記制御装置は、一定時間毎に各前記制水弁を開閉する請求項７又は８記載の魚道。
【請求項１０】
前記遡上用筒体内には、前記水生生物を検知可能なセンサが設けられ、
前記制御装置は、前記センサの出力信号によって各前記制水弁を開閉する請求項７又は８記載の魚道。
【請求項１１】
前記遡上用筒体内には、光によって前記水生生物を誘引可能な誘引手段が設けられている請求項１乃至１０のいずれか１項記載の魚道。
【発明の詳細な説明】
【技術分野】
【０００１】
本発明は魚道に関する。
【背景技術】
【０００２】
河川にダムや堰等の堤体が構築されている場合、その堤体によって魚類、カニ類、エビ類等の水生生物の移動が阻害されないよう、堤体の側方に魚道が設けられる場合がある。これにより、自然環境の保護が図られる。
【０００３】
一般的な魚道は、堤体の上流側に位置する高水路と、堤体の下流側に位置する低水路とを接続している。また、この魚道は、水を貯留する凹部が階段状に形成され、かつ上方が開放されている。このため、この魚道は自然流下形式と称される。すなわち、高水路の水は、自重によって順次各凹部を下り、低水路に至る。低水路に位置する水生生物は、その水に逆らって低位の凹部から徐々に上位の凹部へと遡上し、高水路まで遡上できるようになる。魚道の途中に休息室となる比較的大きな凹部が設けられる場合もある。
【０００４】
しかし、下流の凹部から上流の凹部まで、各凹部の落差があまりに大きければ、水生生物がそれらの凹部を遡上することができない。このため、一般的な魚道では、水生生物が遡上できる範囲で各凹部の落差を設定しており、全長が長くならざるを得ない。この場合、堤体の側方に広い敷地が必要になるとともに、建設費が過大になってしまう。
【０００５】
この問題を解決すべく、特許文献１に他の魚道が提案されている。この魚道は、筒状をなして高水路から低水路まで長さ方向に延び、内部に誘導路を形成する遡上用筒体を備えている。遡上用筒体の低水路側には誘導路と連通する低位チャンバが形成されている。また、遡上用筒体の高水路側には誘導路を閉鎖可能な高位ゲートが設けられ、低位チャンバの低水路側には低位チャンバを閉鎖可能な低位ゲートが設けられている。高水路と低位チャンバとは、堤体内を貫通する注水管によって接続されている。注水管には注水弁が設けられている。この魚道は圧力管形式に区分される。
【０００６】
この魚道により水生生物を遡上させる場合、まず高位ゲートを閉じ、低位ゲートを開放し、水生生物を低位チャンバ内に位置させる。この後、低位ゲートを閉じ、注水弁を開放して高水路から水を注水管により低位チャンバ内に導き、低位チャンバ及び誘導路内の水位を上げる。そして、誘導路内の水位が高水路と等しくなれば、高位ゲートを開放し、誘導路内の水生生物を高水路に移動させる。こうして、この魚道では、一般的な魚道と比べ、狭い敷地であっても、水生生物を低水路から高水路まで遡上させることが可能になる。
【先行技術文献】
【特許文献】
【０００７】
【特許文献１】特開２００１−４０６４５号公報
【発明の概要】
【発明が解決しようとする課題】
【０００８】
しかし、上記特許文献１の魚道では、堤体を貫通する注水管によって高水路と低位チャンバとを接続し、かつ注水管に注水弁を設けており、当初の設備が複雑である。また、この魚道では、注水弁に枝や葉等の異物が絡み易く、保守点検も面倒である。このため、この魚道では、建設費が未だ過大であるとともに、維持管理も容易ではない。
【０００９】
本発明は、上記従来の実情に鑑みてなされたものであって、水生生物を遡上させることができるとともに、建設費を低減でき、かつ維持管理が容易な魚道を提供することを解決すべき課題としている。
【課題を解決するための手段】
【００１０】
本発明の魚道は、堤体の上流側に位置する高水路と、前記堤体の下流側に位置する低水路とを接続し、水生生物を前記低水路から前記高水路まで遡上させるための魚道において、
筒状をなして前記高水路から前記低水路まで長さ方向に延び、内部に誘導路を形成する遡上用筒体と、
前記遡上用筒体に前記長さ方向で２箇所以上で設けられ、前記誘導路を開閉可能な制水弁とを備え、
各前記制水弁には、前記誘導路の閉鎖時に上流側と下流側とを連通する連通路が形成されていることを特徴とする。
【００１１】
本発明の魚道により水生生物を遡上させる場合、仮に全ての制水弁を閉鎖状態とし、遡上用筒体内の誘導路を３以上のブロックに分けたとしても、各制水弁には上流側と下流側とを連通する連通路が形成されているため、上流から下流まで水を流し続けることができる。水生生物には遡上特性があり、連通路によって水生生物は水の上流側を認識できる。連通路の通路面積は、水の流量や水生生物等に応じて適宜選択される。この魚道では、制水弁の開度を調節することによって、水生生物が遡上し易いように誘導路内の水の流速を変化させることもできる。
【００１２】
また、この魚道では、遡上用筒体に長さ方向で２箇所以上の制水弁が設けられ、各制水弁を開閉制御することにより、３以上のブロック内に適宜水を満たすことができる。このため、この魚道も圧力管形式に区分される。そして、水生生物があるブロックの下流側に位置すれば、そのブロックの上流側の制水弁を閉じた状態で、そのブロックの下流側の制水弁を開放し、水生生物をそのブロック内まで遡上させることができる。また、水生生物がそのブロック内に遡上すれば、そのブロックの下流側の制水弁を閉じ、そのブロックの上流側の制水弁を閉じた状態から開放し、水生生物をより上流のブロックまで遡上させることができる。順次これらを繰り返すことが可能である。この際、この魚道では、各ブロックに高速の水の流れができず、各ブロックが水生生物の遊泳場となる。このため、遡上用筒体の傾斜角度にかかわらず、水生生物が遡上可能となる。
【００１３】
さらに、この魚道では、堤体を貫通し、注水弁が必要な注水管のような従来の設備が不要であり、当初の設備が簡易になる。
【００１４】
また、この魚道では、遡上用筒体に枝や葉等の異物が流入し、各制水弁を閉じた際、切欠きに枝や葉等の異物が絡んだとしても、制水弁を開放すれば、これらの異物は下流側の低水路へと容易に流れる。このため、この魚道では、保守点検も容易である。
【００１５】
したがって、本発明の魚道は、水生生物を遡上させることができるとともに、建設費を低減でき、かつ維持管理が容易である。特に、この魚道では、既に構築された堤体に対して容易に付加され得る。なお、連通路は、制水弁の弁体に形成された切欠きによって確保してもよく、弁体周りの遡上用筒体に形成された凹部によって確保してもよい。
【００１６】
各制水弁は、弁体を軸支部によって開閉可能なバタフライ弁であり得る。各弁体には、連通路を形成する切欠きが形成されていることが好ましい。この場合、バタフライ弁の弁体以外の場所に連通路を形成するよりも、連通路を形成し易い。このため、この魚道の建設費を確実に低減することができる。
【００１７】
なお、各バタフライ弁は、弁体が１個であってもよく、弁体が２個以上であってもよい。例えば、弁体が２個のバタフライ弁が遡上用筒体に長さ方向で２箇所以上で設けられれば、２個ずつの弁体が同時に開閉制御されることとなる。
【００１８】
遡上用筒体は、上流側に位置する上流側遡上用筒体と、下流側に位置する下流側遡上用筒体とを有していることが好ましい。そして、上流側遡上用筒体と下流側遡上用筒体との間には、内部に誘導路と連通する休息室を形成するチャンバが設けられていることが好ましい。
【００１９】
この場合、低水路と高水路との高さの差が大きくても、下流側遡上用筒体内の誘導路を遡上してきた水生生物がチャンバ内の休息室内で休息することが可能になる。そして、休息室内で遡上の疲れを癒した水生生物が上流側遡上用筒体内の誘導路の遡上を開始することが可能になる。こうして、水生生物は高さの差の大きな低水路と高水路との間で遡上を終えることができる。チャンバは複数個設けてもよい。
【００２０】
遡上用筒体は、少なくとも上流側が可撓性を有していることが好ましい。この場合、遡上用筒体の上流側は、高水路における水位の変動に追従することができる。遡上用筒体の下流側も可撓性を有している場合、遡上用筒体の下流側は、低水路における水位の変動に追従することができるとともに、低水路の川底に沿うこともできる。遡上用筒体の全体が可撓性を有している場合、地形や堤体の形状に合わせて遡上用筒体を設置することができる。例えば、遡上用筒体の途中を山状、谷状等に変形することも可能である。可撓性を有する構造としては、蛇腹を採用することができる。
【００２１】
本発明の魚道は、遡上用筒体が山状に配置される山状部を有し得る。山状部には、誘導路を大気に開く大気開放弁が設けられていることが好ましい。山状部内の水位が高水路の水位よりも高くなる場合、山状部の内部に空気が溜まる場合がある。この場合、例えば真空ポンプを用いて遡上用筒体に高水路の水を供給しつつ、大気開放弁が山状部内の空気を排出することにより、誘導路内を水で満たすことが可能となる。このため、遡上用筒体は、サイホン管としての機能を発揮することができる。
【００２２】
大気開放弁には、真空ポンプ等の排気装置が接続されていることが好ましい。山状部内の水位が高水路の水位よりも高くなる場合において、山状部内に空気が溜まり、遡上用筒体がサイホン管として機能しなくなったとしても、排気装置が山状部内の空気を排出し、誘導路内を水で満たすことが可能となる。このため、この遡上用筒体も、サイホン管としての機能を発揮することができる。また、この魚道では、山状部内の水位が高水路の水位よりも低い場合でも、山状部内に生じた空気を排気装置によって排出できるため、その機能を再び発揮することができる。この魚道では、高水路と低水路との高低差が大きい場合に、本発明の作用効果をより発揮し易い。
【００２３】
本発明の魚道は、各制水弁を開閉制御可能な制御装置が設けられ得る。この場合、水生生物を自動的に遡上させることができる。制御装置は、少なくとも一つの制水弁の弁体が誘導路を閉じているように、各制水弁を開閉制御することが好ましい。この場合、高水路と低水路との落差によって誘導路内の水の流速が過剰に大きくなることがなく、水生生物が遡上を容易に行うことができる。
【００２４】
本発明の魚道は、筒状をなして高水路から低水路まで長さ方向に延び、内部に発電用水路を形成する発電用筒体と、発電用水路を流れる水によって電気を生じる水力発電機とを備えていることが好ましい。そして、各制水弁及び制御装置は、その水力発電機によって生じた電気によって駆動されていることが好ましい。この場合、各制水弁及び制御装置を駆動するための電気を水力発電機で賄うことができる。水力発電機には、各制水弁及び制御装置が稼動していない間に、生じた電気を充電しておくことが可能な蓄電池が接続されていることが好ましい。
【００２５】
遡上用筒体と発電用筒体とを２連水路にすれば、遡上用筒体とともに発電用筒体を設置すればよく、遡上用筒体と発電用筒体とを別々の敷地に設置するよりも安価な費用で設置することができる。このため、工事の施工効率が上がるとともに費用の高騰化を防止することができる。
【００２６】
なお、複数の遡上用筒体と発電用筒体とにより、３連水路以上の連水路とすることもできる。口径の大きな遡上用筒体を設置すれば、コストが高騰化し易いが、３連水路以上の連水路により、口径の小さな遡上用筒体を設けることにより、より一層コストの高騰化を防止することができる。
【００２７】
制御装置は、一定時間毎に各制水弁を開閉することが好ましい。この場合、継続的に水生生物を低水路から高水路に遡上させることができる。
【００２８】
遡上用筒体内には、水生生物を検知可能なセンサが設けられ得る。制御装置は、センサの出力信号によって各制水弁を開閉することが好ましい。この場合、魚道を遡上しようとする水生生物が存在する場合にその水生生物を確実に遡上させることができる。
【００２９】
遡上用筒体内には、光によって水生生物を誘引可能な誘引手段が設けられていることが好ましい。この場合、誘引手段の光によって、水生生物の遡上を誘導することができる。誘引手段としては、例えば、遡上用筒体の少なくとも一部を透明又は半透明として太陽光等が誘導路内に導かれるようにすることの他、太陽光や照明光を伝達する光ファイバや発光体等を採用することができる。発光体を用いれば、水生生物は夜間でも遡上を行うことができる。発光体としては、ＬＥＤ照明、蛍光灯、蓄光材料等を採用することができる。
【発明の効果】
【００３０】
本発明の魚道は、水生生物を遡上させることができるとともに、建設費を低減でき、かつ維持管理が容易である。
【図面の簡単な説明】
【００３１】
【図１】図１は、実施例１の魚道の模式断面図である。
【図２】図２は、実施例１の魚道に係り、遡上用筒体と発電用筒体とにおける長さ方向に直交する方向の断面図である。
【図３】図３は、実施例１の魚道に係り、遡上用筒体と発電用筒体との下流側の平面図である。
【図４】図４は、実施例１の魚道に係り、制御装置によって各バタフライ弁を開閉制御するためのフローチャートである。
【図５】図５は、実施例１の魚道に係り、図（Ａ）は第１、３、５、７バタフライ弁を開放した遡上用筒体の模式断面図、図（Ｂ）は第２、４、６バタフライ弁を開放した遡上用筒体の模式断面図である。
【図６】図６は、実施例１の魚道に係り、図（Ａ）は第１、３、５、７バタフライ弁を開放した遡上用筒体の模式断面図、図（Ｂ）は第２、４、６バタフライ弁を開放した遡上用筒体の模式断面図である。
【図７】図７は、実施例１の魚道に係り、図（Ａ）は第１、３、５、７バタフライ弁を開放した遡上用筒体の模式断面図、図（Ｂ）は第２、４、６バタフライ弁を開放した遡上用筒体の模式断面図である。
【図８】図８は、実施例１の魚道に係り、第１、３、５、７バタフライ弁を開放した遡上用筒体の模式断面図である。
【図９】図９は、実施例２の魚道に係り、第１、３、５、７バタフライ弁を開放した遡上用筒体の模式断面図である。
【図１０】図１０は、実施例２の魚道に係り、制御装置によって各バタフライ弁を開閉制御するためのフローチャートである。
【図１１】図１１は、実施例３の魚道に係り、第１、３、５、７バタフライ弁を開放した遡上用筒体の模式断面図である。
【図１２】図１２は、実施例４の魚道の模式断面図である。
【図１３】図１３は、実施例５の魚道の模式断面図である。
【図１４】図１４は、参考例の魚道の模式断面図である。
【発明を実施するための形態】
【００３２】
以下、本発明を具体化した実施例１〜５について図面を参照しつつ説明する。
【００３３】
（実施例１）
図１に示すように、河川には堤体としてのダム２が構築されている。ダム２には、実施例１の魚道１Ａが設けられている。この魚道１Ａは、ダム２の上流側に位置する高水路としてのダム湖３と、ダム２の下流側に位置する低水路４とを接続している。
【００３４】
魚道１Ａは、上流側遡上用筒体５１と、チャンバ１１と、下流側遡上用筒体５２と、第１〜７バタフライ弁７１〜７７とを備えている。上流側遡上用筒体５１及び下流側遡上用筒体５２が遡上用筒体である。
【００３５】
上流側遡上用筒体５１は、図２に示すように、長さ方向に直交する方向の断面が円形である円筒状をなしている。上流側遡上用筒体５１は、図１に示すように、内部にダム湖３に連通する上流側誘導路５１ｉを形成している。上流側遡上用筒体５１は、上流筒体５１ａと、第１中流筒体５１ｂと、第１下流筒体５１ｃからなる。上流筒体５１ａは、ダム２の上流側でダム２内を水平に延びている。第１中流筒体５１ｂは、上流筒体５１ａの下流側と接続され、第１下流筒体５１ｃの上流側までダム２の下流側の壁面に沿って傾斜している。第１下流筒体５１ｃは、チャンバ１１から水平に延びている。
【００３６】
下流側遡上用筒体５２も、図２に示すように、長さ方向に直交する方向の断面が円形である円筒状をなしている。下流側遡上用筒体５２は、図１に示すように、内部に低水路４に連通する下流側誘導路５２ｉを形成している。下流側遡上用筒体５２は、第２中流筒体５２ａと、第２下流筒体５２ｂとからなる。第２中流筒体５２ａは、チャンバ１１からダム２の下流側の壁面に沿って傾斜している。第２下流筒体５２ｂは、第２中流筒体５２ａの下流側と接続され、低水路４内まで水平に延びている。上流側誘導路５１ｉ及び下流側誘導路５２ｉが誘導路５ｉである。
【００３７】
チャンバ１１は、中空の容器状をなしている。チャンバ１１は上流側遡上用筒体５１と下流側遡上用筒体５２との間に設けられている。チャンバ１１は、内部に休息室１１ｉを形成している。休息室１１ｉの上部は上流側誘導路５１ｉ及び下流側誘導路５２ｉと連通している。チャンバ１１の一方の側面には、休息室１１ｉと外部とを連通する余水吐１１ｙが形成されている。余水吐１１ｙよりも高位の水は余水吐１１ｙから排出される。このため、休息室１１ｉの上部には、余水吐１１ｙから取り入れられた空気が存在する。余水吐１１ｙには、水生生物としての魚類１０が流出しないように網状のスクリーン５４が設けられている。
【００３８】
上流筒体５１ａには、第１バタフライ弁７１が設けられている。第１下流筒体５１ｃには、第２、３バタフライ弁７２、７３が上流側から順次設けられている。第２下流筒体５２ｂには、第４〜７バタフライ弁７４〜７７が長さ方向で上流側から順次設けられている。第４〜７バタフライ弁７４〜７７は互いに所定間隔で隔てられている。
【００３９】
第１〜７バタフライ弁７１〜７７は、図５〜８に示すように、誘導路５ｉ及び休息室１１ｉを８つのブロック６１〜６８で区画している。すなわち、第２下流筒体５２ｂの下流端から第７バタフライ弁７７までを第１ブロック６１とする。第７バタフライ弁７７から第６バタフライ弁７６までを第２ブロック６２とする。第６バタフライ弁７６から第５バタフライ弁７５までを第３ブロック６３とする。第５バタフライ弁７５から第４バタフライ弁７４までを第４ブロック６４とする。第４バタフライ弁７４から第３バタフライ弁７３までを第５ブロック６５とする。第３バタフライ弁７３から休息室１１ｉを含み、第２バタフライ弁７２までを第６ブロック６６とする。第２バタフライ弁７２から第１バタフライ弁７１までを第７ブロック６７とする。第１バタフライ弁７１から上流筒体５１ａの上流端までを第８ブロック６８とする。
【００４０】
図２に示すように、第１〜７バタフライ弁７１〜７７は、それぞれ弁体４１と、軸支部４２と、駆動部４３とを有している。各弁体４１は、上流側遡上用筒体５１及び下流側遡上用筒体５２の長さ方向に直交する方向の断面で見て、略円形をなしている。各弁体４１の下端側には、連通路として水等を挿通することが可能な半円状の切欠き４１ａが形成されている。各弁体４１は、閉鎖時に切欠き４１ａを除いて誘導路５ｉを閉鎖可能である。各軸支部４２は、上流側遡上用筒体５１及び下流側遡上用筒体５２の長さ方向に直交する方向の断面で見て、弁体４１の直径方向である水平方向に延び、弁体４１を開閉可能に支持している。各駆動部４３は、モータを内蔵しており、電力が供給されることによって軸支部４２を９０°揺動させることが可能となっている。駆動部４３は、第１〜８ブロック６１〜６８に急激に水が流れ込まないように、低速度で揺動するように設定されている。
【００４１】
上流側遡上用筒体５１、チャンバ１１及び下流側遡上用筒体５２の隣には、これらと平行に発電用筒体７が設けられている。発電用筒体７も、長さ方向に直交する方向の断面が円形である円筒状をなし、ダム湖３と低水路４とを接続している。発電用筒体７は内部に発電用水路７ｉを形成している。発電用筒体７は上流端と下流端とが開いている。発電用筒体７の上流端には、魚類１０や枝、葉等の異物が入り込まないように、図示しない網状をしたスクリーンが取り付けられている。こうして、この魚道１Ａでは、上流側遡上用筒体５１、チャンバ１１及び下流側遡上用筒体５２と発電用筒体７とで２連水路とされている。
【００４２】
図３に示すように、発電用筒体７の下流側には、発電用水路７ｉを流れる水によって電気を生じる水力発電機９が設けられている。発電用筒体７は、水力発電機９よりも下流側の水の勢いによって第２下流筒体５２ｂの下流に屯する魚類１０に影響を与えないように、水力発電機９よりも下流側が第２下流筒体５２ｂの下流端から離れるようにＳ字型に屈曲している。魚類１０が発電用水路７ｉから流れる水により誘引されて迷走するおそれがあるためである。なお、発電用筒体７の下流側において、第２下流筒体５２ｂの下流に魚類１０を呼び込むため、下流側遡上用筒体５２の下流端付近の低水路４に放水する呼水管が設けられていてもよい。
【００４３】
図１に示すように、水力発電機９には蓄電池２４が接続されており、蓄電池２４と第１〜７バタフライ弁７１〜７７の駆動部４３とは電線２０で接続されている。また、蓄電池２４には電線２３によって制御装置２２が接続されている。制御装置２２と第１〜７バタフライ弁７１〜７７とは信号線２５によって接続されている。制御装置２２内には、図４に示すフローチャートに従って第１〜７バタフライ弁７１〜７７を開閉制御するためのプログラムが格納されている。制御装置２２は、このプログラムにより、第１、３、５、７バタフライ弁７１、７３、７５、７７と、第２、４、６バタフライ弁７２、７４、７６とを一定時間経過するごとに交互に開閉を行うことが可能とされている。こうして、実施例１の魚道１Ａが構成されている。
【００４４】
この魚道１Ａにおいて、図５〜８に示すように、低水路４に存在していた魚類１０がダム湖３に向って遡上を行う場合を説明する。第１〜８ブロック６１〜６８は満水状態とされている。但し、休息室１１ｉ内の余水吐１１ｙより上方には空気が存在している。
【００４５】
まず、図４に示すように、制御装置２２では、ステップＳ１が実行され、初期設定が行われる。初期設定では、第１〜７バタフライ弁７１〜７７を全て閉鎖させる等の処理を行う。続くステップＳ２では、第１、３、５、７バタフライ弁７１、７３、７５、７７を開操作する。これにより、図５（Ａ）に示すように、ダム湖３内の水は第２バタフライ弁７２によって堰き止められる。第７、８ブロック６７、６８内の水は第２バタフライ弁７２の弁体４１の切欠き４１ａから下流に徐々に流れる。また、チャンバ１１の休息室１１ｉには水が貯留される。休息室１１ｉから溢れた水は、第４、６バタフライ弁７４、７６の各々の弁体４１の切欠き４１ａから下流に徐々に流れる。この状態において、遡上特性により、低水路４において切欠き４１ａによって水の上流側を認識した魚類１０は、低水路４から第１ブロック６１内に進入し、第１ブロック６１から第２ブロック６２に遡上し、第６バタフライ弁７６の切欠き４１ａ付近に誘引される。
【００４６】
図４に示すように、続くステップＳ３では、一定時間が経過した後、第１、３、５、７バタフライ弁７１、７３、７５、７７を閉操作する。この後、ステップＳ４では、第２、４、６バタフライ弁７２、７４、７６を開操作する。これにより、図５（Ｂ）に示すように、ダム湖３内の水は第１バタフライ弁７１によって堰き止められる。第８ブロック６８内の水は第１バタフライ弁７１の弁体４１の切欠き４１ａから下流に徐々に流れ、第６、７ブロック６６、６７内の水は第３バタフライ弁７３の弁体４１の切欠き４１ａから下流に徐々に流れる。また、チャンバ１１の休息室１１ｉに水が貯留される。休息室１１ｉから溢れた水は、第５、７バタフライ弁７５、７７の各々の弁体４１の切欠き４１ａから下流に徐々に流れる。このため、第２ブロック６２に存在していた魚類１０は、第３ブロック６３に遡上し、第５バタフライ弁７５の切欠き４１ａ付近に誘引される。また、低水路４から進入してきた魚類１０は、第１ブロック６１に遡上し、第７バタフライ弁７７の切欠き４１ａ付近に誘引される。
【００４７】
図４に示すように、続くステップＳ５では、一定時間が経過した後、第２、４、６バタフライ弁７２、７４、７６を閉操作する。この後、ステップＳ２に戻る。
【００４８】
このため、図６（Ａ）に示すように、第３ブロック６３に存在していた魚類１０は、第４ブロック６４に遡上し、第４バタフライ弁７４の切欠き４１ａ付近に誘引される。また、第１ブロック６１に存在していた魚類１０は、図５（Ａ）と同様、第２ブロック６２に遡上し、第６バタフライ弁７６の切欠き４１ａ付近に誘引される。
【００４９】
また、図６（Ｂ）に示すように、第４ブロック６４に存在していた魚類１０は、第５ブロック６５に遡上する。この魚類１０は、チャンバ１１の休息室１１ｉ内で休憩するか、第３バタフライ弁７３の切欠き４１ａ付近に誘引される。また、第２ブロック６２に存在していた魚類１０は、図５（Ｂ）と同様、第３ブロック６３に遡上し、第５バタフライ弁７５の切欠き４１ａ付近に誘引される。さらに、低水路４から進入してきた魚類１０は、第１ブロック６１に遡上し、第７バタフライ弁７７の切欠き４１ａ付近に誘引される。
【００５０】
さらに、図７（Ａ）に示すように、第５ブロック６５に存在していた魚類１０は、第６ブロック６６に遡上し、第２バタフライ弁７２の切欠き４１ａ付近に誘引される。また、図６（Ａ）と同様、第３ブロック６３に存在していた魚類１０は、第４ブロック６４に遡上し、第４バタフライ弁７４の切欠き４１ａ付近に誘引される。さらに、図５（Ａ）と同様、第１ブロック６１の魚類１０は、第２ブロック６２に遡上し、第６バタフライ弁７６の切欠き４１ａ付近に誘引される。
【００５１】
また、図７（Ｂ）に示すように、第６ブロック６６に存在していた魚類１０は、第７ブロック６７に遡上する。また、図６（Ｂ）と同様、第４ブロック６４に存在していた魚類１０は、第５ブロック６５に遡上し、第３バタフライ弁７３の切欠き４１ａ付近に誘引される。さらに、図５（Ｂ）と同様、第２ブロック６２に存在していた魚類１０は、第３ブロック６３に遡上し、第５バタフライ弁７５の切欠き４１ａ付近に誘引される。また、低水路４から進入してきた魚類１０は、第１ブロック６１に遡上し、第７バタフライ弁７７の切欠き４１ａ付近に誘引される。
【００５２】
そして、図８に示すように、第７ブロック６７に存在していた魚類１０は、第８ブロック６８を通過し、ダム湖３に遡上する。また、図７（Ａ）と同様、第５ブロック６５に存在していた魚類１０は、第６ブロック６６に遡上し、第２バタフライ弁７２の切欠き４１ａ付近に誘引される。さらに、図６（Ａ）と同様、第３ブロック６３に存在していた魚類１０は、第４ブロック６４に遡上し、第４バタフライ弁７４の切欠き４１ａ付近に誘引される。また、図５（Ａ）と同様、第１ブロック６１に存在していた魚類１０は、第２ブロック６２に遡上し、第６バタフライ弁７６の切欠き４１ａ付近に誘引される。こうして、魚類１０は連続して遡上することが可能である。
【００５３】
以上のように、この魚道１Ａでは、第１〜７バタフライ弁７１〜７７の弁体４１に切欠き４１ａがあるため、上流から下流まで水を流し続けることができる。このため、遡上特性のある魚類１０が水の上流側を認識できる。
【００５４】
また、この魚道１Ａでは、上流側遡上用筒体５１及び下流側遡上用筒体５２に長さ方向で第１〜７バタフライ弁７１〜７７が設けられ、第１〜７バタフライ弁７１〜７７の弁体４１を開閉制御することにより、第１〜８ブロック６１〜６８内に流水を満たすことができる。そして、第１〜８ブロック６１〜６８には高速の水の流れができず、第１〜８ブロック６１〜６８が魚類１０の遊泳場となり、上流側遡上用筒体５１及び下流側遡上用筒体５２の角度によらずに魚類１０が遡上可能となる。
【００５５】
特に、制御装置２２は、上流側遡上用筒体５１における少なくとも一つの第１〜３バタフライ弁７１〜７３の弁体４１が誘導路５ｉを閉じているように、第１〜３バタフライ弁７１〜７３を開閉制御する。また、制御装置２２は、下流側遡上用筒体５２における少なくとも一つの第４〜７バタフライ弁７４〜７７の弁体４１が誘導路５ｉを閉じているように、第４〜７バタフライ弁７４〜７７を開閉制御する。実施例１では、第１、３、５、７バタフライ弁７１、７３、７５、７７と第２、４、６バタフライ弁７２、７４、７６と一定時間ごとに交互に開閉することとしている。このため、この魚道１Ａでは、ダム湖３と低水路４との落差によって誘導路５ｉ内の水の流速が過剰に大きくなることがない。このため、魚類１０を自動的に遡上させることができる。
【００５６】
また、この魚道１Ａでは、低水路４とダム湖３との高さの差が大きくても、低水路４から下流側誘導路５２ｉを遡上してきた魚類１０がチャンバ１１内の休息室１１ｉ内で休息することが可能である。そして、休息室１１ｉ内で遡上の疲れを癒した魚類１０が上流側誘導路５１ｉの遡上を開始することが可能になる。こうして、魚類１０は高さの差の大きな低水路４とダム湖３との間で遡上を終えることができる。
【００５７】
そして、この魚道１Ａでは、ダム２を貫通し、注水弁が必要な注水管のような従来の設備が不要であり、当初の設備が簡易になる。
【００５８】
また、この魚道１Ａでは、各弁体４１に切欠き４１ａが形成されているため、第１〜７バタフライ弁７１〜７７の弁体４１以外の場所に連通路を形成するよりも、それらの切欠き４１ａによって連通路を容易に確保できる。このため、この魚道１Ａの建設費を確実に低減することができる。
【００５９】
さらに、この魚道１Ａでは、第１〜７バタフライ弁７１〜７７の弁体４１が誘導路５ｉを閉じた際、切欠き４１ａに枝や葉等の異物が絡んだとしても、第１〜７バタフライ弁７１〜７７の弁体４１を開放する等、弁体４１の開度を調節すれば、これらの異物は下流側の低水路４へと容易に流れる。このため、この魚道１Ａでは、保守点検も容易である。
【００６０】
また、この魚道１Ａでは、第１〜７バタフライ弁７１〜７７及び制御装置２２を駆動するための電気を水力発電機９で賄うことができる。
【００６１】
さらに、この魚道１Ａでは、上流側遡上用筒体５１、チャンバ１１及び下流側遡上用筒体５２と発電用筒体７とが２連水路とされている。このため、この魚道１Ａでは、上流側遡上用筒体５１、チャンバ１１及び下流側遡上用筒体５２とともに発電用筒体７を設置すればよく、これらを別々の敷地に設置するよりも安価な費用で設置することができる。このため、工事の施工効率が上がるとともに費用の高騰化を防止することができる。
【００６２】
したがって、この魚道１Ａは、魚類１０を遡上させることができるとともに、建設費を低減でき、かつ維持管理が容易である。
【００６３】
また、この魚道１Ａは、第１〜７バタフライ弁７１〜７７を全て開くことにより、河川維持用水の放流施設とすることができる。さらに、この魚道１Ａでは、ダム２の構築と同時に施工する必要は無く、既に構築されたダム２に対して容易に付加できる。
【００６４】
（実施例２）
実施例２の魚道１Ｂでは、図９に示すように、第２下流筒体５２ｂ内に第１〜７センサ３１〜３７が設けられている。第１〜７センサ３１〜３７は第１〜７バタフライ弁７１〜７７における下流側の上方に位置している。第１〜７センサ３１〜３７は、第１〜７バタフライ弁７１〜７７の切欠き４１ａ付近に誘導された魚類１０を検知することが可能である。
【００６５】
第１〜７センサ３１〜３７と蓄電池２４とは図示しない電線で接続されている。また、第１〜７センサ３１〜３７は、図示しない信号線によって制御装置２２と接続されている。第１〜７センサ３１〜３７は、魚類１０の存在を検知して制御装置２２に出力信号を送信する。制御装置２２は、第１〜７センサ３１〜３７の少なくとも１つからの出力信号を受信すれば、第１〜７バタフライ弁７１〜７７を開閉することが可能である。
【００６６】
この魚道１Ｂにおいて、低水路４に存在する魚類１０がダム湖３に向って遡上を行う場合を説明する。この際、制御装置２２では、図１０に示すように、まずステップＳ１０１を実行し、初期設定を行う。初期設定では、第１〜７バタフライ弁７１〜７７を全て閉鎖させる等の処理を行う。続くステップＳ１０２では、第１〜７バタフライ弁７１〜７７の少なくとも一つの切欠き４１ａ付近に魚類１０が存在する場合を考慮し、これらからの出力信号を受信する。
【００６７】
ステップＳ１０３では、第２、４、６バタフライ弁７２、７４、７６を閉操作する。続くステップＳ１０４では、第１、３、５、７バタフライ弁７１、７３、７５、７７を開操作する。そして、続くステップＳ１０５において、第１、３、５、７バタフライ弁７１、７３、７５、７７を閉操作する。そして、ステップＳ１０６において、第２、４、６バタフライ弁７２、７４、７６を開操作する。この後、ステップＳ１０２に戻る。他の構成は実施例１と同様である。
【００６８】
この魚道１Ｂでは、第１〜７センサ３１〜３７が魚類１０を検知するため、魚道１Ｂを遡上しようとする魚類１０が存在する場合にその魚類１０を確実に遡上させることができる。他の作用効果は実施例１と同様である。
【００６９】
（実施例３）
図１１に示すように、実施例３の魚道１Ｃは、実施例１の魚道１Ａよりも高低差が低く設定されており、実施例１のようなチャンバ１１を設けていない。魚道１Ｃは、上流筒体２５１と、中流筒体２５２と、下流筒体２５３とを有している。上流筒体２５１、中流筒体２５２及び下流筒体２５３が遡上用筒体である。
【００７０】
上流筒体２５１には、第１、２バタフライ弁２７１、２７２が長さ方向で設けられている。中流筒体２５２には、第３〜５バタフライ弁２７３〜２７５が長さ方向で上流側から順次設けられている。第３〜５バタフライ弁２７３〜２７５は、上流側から等間隔に設けられている。下流筒体２５３には、第６、７バタフライ弁２７６、２７７が長さ方向で上流側から順次設けられている。
【００７１】
魚道１Ｃの誘導路５３ｉ内の下部には、上流側から下流側まで延びる誘引手段８０が設けられている。誘引手段８０は、第１〜７バタフライ弁７１〜７７が閉鎖するときに切欠き４１ａを挿通するように配置されている。誘引手段８０は、チューブ８１と、チューブ８１に設けられて点滅可能な複数個のＬＥＤライト８２とからなる。ＬＥＤライト８２は、チューブ８１内に等間隔に設けられている。ＬＥＤライト８２は、蓄電池２４と図示しない電線で接続されている。他の構成は実施例１と同様である。
【００７２】
誘引手段８０のＬＥＤライト８２は、点滅することで、魚類１０の遡上を誘導する。魚類１０は、誘引手段８０によって昼夜を問わずに遡上することができる。実施例３の魚道１Ｃにおいても、実施例１と同様の作用効果を奏することが可能である。
【００７３】
（実施例４）
図１２に示すように、河川には堤体としてのダム３０２が構築されている。ダム３０２の近辺には、岩３０４等が存在している。実施例４の魚道１Ｄは、上流側がダム３０２内に固定され、下流側が岩３０４等の上を沿うように設けられている。
【００７４】
魚道１Ｄは、上流側遡上用筒体３５１と、中流側遡上用筒体３５２と、下流側遡上用筒体３５３と、第１〜４バタフライ弁３７１〜３７４とを備えている。上流側遡上用筒体３５１、中流側遡上用筒体３５２及び下流側遡上用筒体３５３が遡上用筒体である。
【００７５】
上流側遡上用筒体３５１はダム３０２内に設けられ、その上流側はダム湖３と接続している。上流側遡上用筒体３５１内には、第１、２バタフライ弁３７１、３７２が設けられている。
【００７６】
中流側遡上用筒体３５２及び下流側遡上用筒体３５３は、可撓性を有する蛇腹等で構成されている。中流側遡上用筒体３５２は、岩３０４等に沿って、谷状に配置される谷状部３５２ａと、谷状部３５２ａの下流側に位置して山状に配置される山状部３５２ｂとを有している。谷状部３５２ａの上流側は、上流側遡上用筒体３５１の下流側と接続している。谷状部３５２ａの下流側は、山状部３５２ｂの上流側と接続している。山状部３５２ｂの下流側は、下流側遡上用筒体３５３の上流側と接続している。
【００７７】
下流側遡上用筒体３５３内には、第３、４バタフライ弁３７３、３７４が設けられている。下流側遡上用筒体３５３の下流側は、低水路４と接続している。
【００７８】
山状部３５２ｂの頂上には、誘導路３５２ｉ内と大気とを繋ぐ大気開放管３５５が接続されている。大気開放管３５５には、これを開閉可能な大気開放弁３５４が設けられている。大気開放弁３５４は、ダム湖３の水位よりも低い位置に存在している。他の構成は実施例１と同様である。
【００７９】
この魚道１Ｄでは、谷状部３５２ａの下流側に山状部３５２ｂが形成され、大気開放弁３５４がダム湖３の水位よりも低い位置に存在している。このため、この魚道１Ｄでは、山状部３５２ｂの内部に空気が溜まる場合がある。この場合、大気開放弁３５４を開放することにより、山状部３５２ｂの内部に溜まっている空気が大気に向かって排出される。これにより、誘導路３５２ｉ内を水で満たすことが可能となる。このため、魚道１Ｄがサイホン管として機能しなくなったとしても、その機能を再び発揮することができる。
【００８０】
また、この魚道１Ｄでは、中流側遡上用筒体３５２及び下流側遡上用筒体３５３が可撓性を有しているため、地形やダム３０２の形状に合わせて魚道１Ｄを設置することができる。他の作用効果は実施例１と同様である。
【００８１】
（実施例５）
図１３に示すように、実施例５の魚道１Ｅは、第１上流側遡上用筒体４５０と、第２上流側遡上用筒体４５１と、中流側遡上用筒体４５２と、下流側遡上用筒体４５３と、第１〜４バタフライ弁４７１〜４７４とを備えている。第１上流側遡上用筒体４５０、中流側遡上用筒体４５２及び下流側遡上用筒体４５３は、可撓性を有する蛇腹等で構成されている。第２上流側遡上用筒体４５１には、硬質な素材が用いられている。
【００８２】
第２上流側遡上用筒体４５１は、ダム４０２の上でダム湖３の水面よりも高い位置に載置されている。第１上流側遡上用筒体４５０の上流側は、ダム湖３と接続している。第１上流側遡上用筒体４５０の下流側は、第２上流側遡上用筒体４５１の上流側と接続している。第２上流側遡上用筒体４５１の下流側は、中流側遡上用筒体４５２の上流側と接続している。中流側遡上用筒体４５２の下流側は、下流側遡上用筒体４５３の上流側と接続している。下流側遡上用筒体４５３の下流側は、低水路４と接続している。
【００８３】
第２上流側遡上用筒体４５１内には、第１、２バタフライ弁４７１、４７２が設けられている。また、第２上流側遡上用筒体４５１には、第２バタフライ弁４７２の下流側に誘導路４５２ｉ内と大気とを繋ぐ大気開放管４５５が接続されている。大気開放管４５５には、大気開放弁４５４が接続されている。大気開放弁４５４には、排気装置としての真空ポンプ４５６が接続されている。
【００８４】
下流側遡上用筒体４５３内には、第３、４バタフライ弁４７３、４７４が設けられている。他の構成は実施例１と同様である。
【００８５】
この魚道１Ｅでは、第１上流側遡上用筒体４５０が可撓性を有しているため、第１上流側遡上用筒体４５０がダム湖３における水位の変動に追従することができ、低水路における川底に沿うこともできる。また、この魚道１Ｅでは、下流側遡上用筒体４５３も可撓性を有しているため、下流側遡上用筒体４５３が低水路４における水位の変動に追従することもできる。
【００８６】
この魚道１Ｅは、既存のダム４０２に対して容易に後付けで設けられる。また、この魚道１Ｅでは、第２上流側遡上用筒体４５１内の水位がダム湖３の水位よりも高いため、第２上流側遡上用筒体４５１の内部に空気が溜まる場合がある。この場合、第１、２バタフライ弁４７１、４７２を開放し、真空ポンプ４５６を用いて誘導路４５２ｉ内にダム湖３の水を供給しつつ、大気開放弁４５４を開放して第２上流側遡上用筒体４５１内の空気を排出する。これにより、誘導路４５２ｉ内を水で満たすことが可能となる。このため、魚道１Ｅは、サイホン管としての機能を発揮することができる。他の作用効果は実施例１と同様である。
【００８７】
（参考例）
図１４に参考例の魚道１Ｆを示す。この魚道１Ｆは、ダム湖３と低水路４との高低差が小さい場所に用いる。ダム５０２は、実施例５のダム４０２よりも低く設定されている。この魚道１Ｆでは、実施例５のように、第１〜４バタフライ弁４７１〜４７４は設けられていない。他の構成は実施例５と同様である。
【００８８】
この魚道１Ｆでは、ダム湖３と低水路４との高低差が小さいため、誘導路５５２ｉ内の水の流速が大きくなることがない。このため、この魚道１Ｆでは、例えば実施例５のような第１〜４バタフライ弁４７１〜４７４を設けなくても魚類１０を自動的に遡上させることができる。他の作用効果は実施例５と同様である。
【００８９】
以上において、本発明を実施例１〜５に即して説明したが、本発明は上記実施例１〜５に制限されるものではなく、その趣旨を逸脱しない範囲で適宜変更して適用できることはいうまでもない。
【００９０】
例えば、遡上用筒体は円筒状に限定されず、四角筒状等であってもよい。また、発電用筒体は、水力発電機よりも下流側でさほどの水の勢いがない場合には、水力発電機よりも下流側も直線状であってもよい。
【００９１】
魚道は、低水路と高水路とを接続さえしていれば、堤体を迂回するように堤体の側方に設けられる等、いかなるルートで設置されていてもよい。このため、実施例１において、上流筒体５１ａは、ダム２内に設けられている必要はなく、ダム湖３と連通しつつダム２の側方の道路内等に埋設されていてもよい。また、第１、２中流筒体５１ｂ、５２ａは、ダム２の壁面に沿っていなくてもよく、ダム２の側方の道路内等に埋設されていてもよい。
【００９２】
バタフライ弁の数は、遡上用筒体に長さ方向で２箇所以上で設けられておれば足り、実施例１〜５の場合に限定されない。また、制御装置は、少なくとも一つのバタフライ弁の弁体が誘導路を閉じているように、各バタフライ弁を開閉制御することが好ましく、各バタフライ弁の開閉制御は実施例１〜５の場合に限定されない。制水弁は、バタフライ弁の他に種々の弁を採用してもよい。
【００９３】
また、誘導路が部分的に水で満たされず、空気層を有するように、遡上用筒体に適宜大気穴や大気開放弁を設けてもよい。また、連通路は、制水弁の弁体に形成された切欠きだけでなく、弁体周りの遡上用筒体に形成された凹部によって確保してもよい。また、切欠きの形状は、いかなる形状でもよく、弁体に複数個所に形成されていてもよく、弁体のいかなる位置でもよい。さらに、切欠きには、遡上した魚類等が逆流しないような部材（魚返し）が設けられていてもよい。このような部材としては、水が流れさえすれば、網目状、櫛状等種々の形状のものを採用することができる。
【００９４】
魚道において、チャンバを複数個設けてもよい。例えば、上流側に位置する第１チャンバと、下流側に位置する第２チャンバとを設ける場合、第１チャンバの上流側に位置する遡上用筒体が上流側遡上用筒体となり、第１チャンバの下流側かつ第２チャンバの上流側に位置する遡上用筒体が下流側遡上用筒体かつ上流側遡上用筒体となり、第２チャンバの下流側に位置する遡上用筒体が下流側遡上用筒体となる。
【００９５】
チャンバによって遡上用筒体を分断している場合、チャンバの上流側の遡上用筒体と、チャンバの下流側の遡上用筒体との両方において、少なくとも一つのバタフライ弁の弁体が誘導路を閉じているように、各バタフライ弁を開閉制御することが好ましい。
【００９６】
また、実施例１において、魚道における制御装置２２の初期設定として、上流側遡上用筒体５１における少なくとも一つの第１〜３バタフライ弁７１〜７３と、下流側遡上用筒体５２における少なくとも一つの第４〜７バタフライ弁７４〜７７とが閉鎖状態であれば、それぞれが異なる任意の開度からスタートすることができる。
【００９７】
さらに、各バタフライ弁は、弁体を同一方向にゆっくり回動させてもよい。この場合、各弁体が下流側の魚類等を下流側から上流側に送り込むように回動することが好ましい。さらに、蓄電池は、外部電源と接続されていてもよい。また、魚道には誘引手段を設けてもよい。
【００９８】
また、この魚道では、遡上用筒体の全体を可撓性を有している素材にしてもよい。また、第２上流側遡上用筒体４５１として、第１、２バタフライ弁４７１、４７２、大気開放管４５５を設ける部分だけを硬質な素材にしてもよい。
【産業上の利用可能性】
【００９９】
本発明はダム等に利用可能である。
【符号の説明】
【０１００】
１Ａ、１Ｂ、１Ｃ、１Ｄ、１Ｅ、１Ｆ…魚道
２、３０２、４０２、５０２…ダム（堤体）
３…ダム湖（高水路）
４…低水路
１０…魚類（水生生物）
５ｉ、５３ｉ、３５２ｉ、４５２ｉ、５５２ｉ…誘導路
７１〜７７、２７１〜２７７、３７１〜３７４、４７１〜４７４…バタフライ弁（７１、２７１、３７１、４７１…第１バタフライ弁、７２、２７２、３７２、４７２…第２バタフライ弁、７３、２７３、３７３、４７３…第３バタフライ弁、７４、２７４、３７４、４７４…第４バタフライ弁、７５、２７５…第５バタフライ弁、７６、２７６…第６バタフライ弁、７７、２７７…第７バタフライ弁）
４１ａ…切欠き
４１…弁体
４２…軸支部
５１…上流側遡上用筒体
５２…下流側遡上用筒体
３５１〜３５３、４５０〜４５３…遡上用筒体（３５１…上流側遡上用筒体、４５０…第１上流側遡上用筒体、４５１…第２上流側遡上用筒体、３５２、４５２…中流側遡上用筒体、３５３、４５３…下流側遡上用筒体）
１１…チャンバ
３５２ｂ…山状部
３５４、４５４…大気開放弁
４５６…真空ポンプ（排気装置）
７ｉ…発電用水路
７…発電用筒体
３１〜３７…センサ（３１…第１センサ、３２…第２センサ、３３…第３センサ、３４…第４センサ、３５…第５センサ、３６…第６センサ、３７…第７センサ）
２２…制御装置
８０…誘引手段
【図１】
0006345057.tif 000002
【図２】
0006345057.tif 000003
【図３】
0006345057.tif 000004
【図４】
0006345057.tif 000005
【図５】
0006345057.tif 000006
【図６】
0006345057.tif 000007
【図７】
0006345057.tif 000008
【図８】
0006345057.tif 000009
【図９】
0006345057.tif 000010
【図１０】
0006345057.tif 000011
【図１１】
0006345057.tif 000012
【図１２】
0006345057.tif 000013
【図１３】
0006345057.tif 000014
【図１４】
0006345057.tif 000015